(57)【要約】【課題】エレベータ制御盤内に取り付けられた記録装置と非接触で通信し、複数の電子基板やユニットの詳細情報を読み出したり、書き込んだりすることができる。【解決手段】エレベータ制御盤１０のユニット１１−１，１１−２には、名称、型式、および製造年月（製造ロット）が記載された銘板１１ａ−１，１１ａ−２、製造図番と製造レビジョンが記載された銘板１１ｂ−１，１１ｂ−２、基本情報および固有情報が記録された記録装置１１ｃ−１，１１ｃ−２が取り付けられている。ハンディターミナル２０は、記録装置１１ｃ−１，１１ｃ−２に記録された基本情報および固有情報を非接触で読み出してネットワーク接続端末３０に送信するとともに、ネットワーク接続端末３０から受信した基本情報および固有情報を、記録装置１１ｃ−１，１１ｃ−２に非接触で書き込む。【選択図】図１
2010058887.tif 000002
【特許請求の範囲】
【請求項１】
エレベータ制御盤に取り付けられた、前記エレベータ制御盤を構成する複数の電子基板および機能や回路構成単位で区分されるユニットの基本情報が記録された記録装置を遠隔で管理するエレベータ制御盤の管理システムにおいて、
前記電子基板または前記ユニットに設定変更が生じた場合、設定変更の内容を表す固有情報を前記記録装置に非接触で書き込む書き込み手段と、
前記記録装置に記録された前記基本情報、および前記固有情報を非接触で読み出す読み出し手段と
を備えることを特徴とするエレベータ制御盤の管理システム。
【請求項２】
前記読み出し手段により読み出された前記基本情報および前記固有情報を、ネットワークを介して受信し、表示する表示手段をさらに備える
ことを特徴とする請求項１に記載のエレベータ制御盤の管理システム。
【請求項３】
前記読み出し手段により読み出された前記基本情報および前記固有情報を、ネットワークを介して受信し、記憶する記憶手段をさらに備える
ことを特徴とする請求項１または請求項２に記載のエレベータ制御盤の管理システム。
【請求項４】
前記書き込み手段と前記読み出し手段は、ハンディーターミナルである
ことを特徴とする請求項１に記載のエレベータ制御盤の管理システム。
【請求項５】
前記書き込み手段と前記読み出し手段は、前記エレベータ制御盤内に設けられている
ことを特徴とする請求項１に記載のエレベータ制御盤の管理システム。
【発明の詳細な説明】
【技術分野】
【０００１】
本発明は、エレベータ制御盤の管理システムに関し、特に、エレベータ制御盤内に取り付けられた記録装置と非接触で通信し、複数の電子基板やユニットの詳細情報を読み出したり、書き込んだりすることができるエレベータ制御盤の管理システムに関する。
【背景技術】
【０００２】
従来、電子基板、または、機能や回路構成単位となるユニットの管理システムにおいては、保守員が、電子基板やユニットに記載された、名称、型式、製造年月、製造ロット番号、および製造図番、または製造レビジョンを確認し、製造メーカが保存しているドキュメントと照合することにより確認を行っている。
【０００３】
例えば、特許文献１には、電子基板が汚損した場合にも、読み取りミスを発生することなく基板情報を知ることができる技術が提案されている。
【特許文献１】特開２００６−１８４２１号公報
【発明の開示】
【発明が解決しようとする課題】
【０００４】
従来の管理システムでは、一般的な製品を対象とした場合には有効であるが、エレベータのように、長期に渡りメンテナンス保守を繰り返すような場合には有効ではない。
【０００５】
つまり、エレベータにおいては、性能や品質向上を目的とした回収に伴う改造（例えば、電子基板およびユニットを構成する部品の変更や回路の変更）、部品寿命などに関わる故障に伴う改造、調整、設定の変更などが生じた場合、当初の電子基板やユニットに記載された製造内容が、エレベータの物件別に逐次変更されていくことになる。そのため、電子基板やユニットに記載された型式、製造図番、製造レビジョンが複雑になり、またそれに対応するドキュメントも膨大な種類となることから、照合作業も煩雑になる課題があった。
【０００６】
そして、膨大な情報量の中での照合作業は、正確さに欠け、誤った情報を得る恐れがあり、電子基板やユニットの製造内容を正確にかつ詳細に把握することができないという課題があった。
【０００７】
さらに、電子基板やユニットの再製作の必要が生じた場合、電子基板やユニットに記載された製造内容に該当する図面を確認しなければならず、ドキュメントの文字情報のみでは再製作ができない恐れがあり、製品供給において、確認、製作、試験に渡る一連の作業において、時間と手間がかかり保守員の負担が増大する課題があった。
【０００８】
本発明はこのような状況に鑑みてなされたものであり、その目的は、エレベータ制御盤内に取り付けられた記録装置と非接触で通信し、複数の電子基板やユニットの詳細情報を読み出したり、書き込んだりすることができるエレベータ制御盤の管理システムを提供することである。
【課題を解決するための手段】
【０００９】
本発明の実施の形態に係る第１の特徴は、エレベータ制御盤の管理システムにおいて、エレベータ制御盤に取り付けられた、エレベータ制御盤を構成する複数の電子基板および機能や回路構成単位で区分されるユニットの基本情報が記録された記録装置を遠隔で管理するエレベータ制御盤の管理システムにおいて、電子基板またはユニットに設定変更が生じた場合、設定変更の内容を表す固有情報を記録装置に非接触で書き込む書き込み手段と、記録装置に記録された基本情報、および固有情報を非接触で読み出す読み出し手段とを備える。
【発明の効果】
【００１０】
本発明によれば、エレベータ制御盤内に取り付けられた記録装置と非接触で通信し、複数の電子基板やユニットの詳細情報を読み出したり、書き込んだりすることが可能となる。
【発明を実施するための最良の形態】
【００１１】
以下、本発明の実施の形態について図面を参照して詳細に説明する。
【００１２】
（第１の実施の形態）
図１は、第１の実施の形態に係るエレベータ制御盤の管理システム１の構成例を示す図である。このエレベータ制御盤の管理システム１は、エレベータの機械室に設置されるエレベータ制御盤１０、ハンディターミナル２０、ネットワーク接続端末３０、エレベータ保守管理用端末４０、およびサーバ５０から構成されている。ネットワーク接続端末３０、エレベータ保守管理用端末４０、およびサーバ５０は、ネットワーク６０を介して互いに接続されている。
【００１３】
エレベータ制御盤１０は、エレベータ制御盤１０を構成するための複数の電子基板および機能や回路構成単位で区分されるユニット１１−１，１１−２で構成されている。
【００１４】
ユニット１１−１には、名称、型式、および製造年月（製造ロット）が記載された銘板１１ａ−１、製造図番と製造レビジョンが記載された銘板１１ｂ−１、基本情報および固有情報が記録された記録装置１１ｃ−１が取り付けられている。
【００１５】
記録装置１１ｃ−１に記録される基本情報には、銘板１１ａ−１に記載された名称、型式、製造年月（製造ロット）、および、銘板１１ｂ−１に記載された製造図番、製造レビジョンの他、試験結果情報が含まれている。
【００１６】
また記録装置１１ｃ−１に記録される固有情報には、ユニット１１−１の構成部品の変更、回路変更や改造、ボリューム、スイッチなどの設定変更、構成部品ICのソフトプログラムの変更などの設定変更情報が含まれている。すなわち、基本情報は、電子基板やユニット種類別に決められている基本的な情報とされ、固有情報は、エレベータ製造後に設定変更が生じると逐次更新されるエレベータ物件毎の情報とされる。
【００１７】
ユニット１１−２は、ユニット１１−１と同等の構成を有しており、名称、型式、および製造年月（製造ロット）が記載された銘板１１ａ−２、製造図番と製造レビジョンが記載された銘板１１−２ｂ、基本情報および固有情報が記録された記録装置１１ｃ−２が取り付けられている。
【００１８】
銘板１１ａ−１，１１ｂ−１，１１ａ−２，１１ｂ−２は、アクリルやアルミなどの材質からなり、記録装置１１ｃ−１，１１ｃ−２は、ICタグなどからなる。
【００１９】
ハンディターミナル２０は、記録装置１１ｃ−１，１１ｃ−２に記録された基本情報および固有情報を非接触で読み出してネットワーク接続端末３０に送信するとともに、ネットワーク接続端末３０から受信した基本情報および固有情報を、記録装置１１ｃ−１，１１ｃ−２に非接触で書き込む。
【００２０】
なお、基本情報は、エレベータ制御盤１０の出荷前に、予め記録装置１１ｃ−１，１１ｃ−２に記録させるようにしてもよいし、エレベータ制御盤１０の出荷後に、操作者によってハンディターミナル２０を用いて書き込むようにしてもよい。これに対し、固有情報は、ユニット１１−１，１１−２の回路や部品変更が行われた場合に、操作者によってハンディターミナル２０を用いて書き込まれる。
【００２１】
ネットワーク接続端末３０は、携帯電話機や携帯型パーソナルコンピュータなどで構成され、エレベータ保守管理用端末４０の管理の下、ハンディターミナル２０に、エレベータ制御盤１０内の記録装置１１ｃ−１，１１ｃ−２と非接触で情報の読み出しまたは書き込みを行わせる。
【００２２】
例えば、ネットワーク接続端末３０は、ハンディターミナル２０で読み出された記録装置１１ｃ−１，１１ｃ−２の記録情報を受信し、ネットワーク６０を介してエレベータ保守管理用端末４０に送信する。またネットワーク接続端末３０は、エレベータ保守管理用端末４０からネットワーク６０を介して受信した、記録装置１１ｃ−１，１１ｃ−２に記録するための情報を、ハンディターミナル２０に送信し、記録装置１１ｃ−１，１１ｃ−２に書き込ませる。
【００２３】
エレベータ保守管理用端末４０は、CPU（Central Processing Unit）、ROM（Read Only Memory）、RAM（Random Access Memory）などを有するホストコンピュータで構成され、エレベータ（不図示）やエレベータ制御盤１０が設置されている場所から離れたところに設置されている。エレベータ保守管理用端末４０は、ネットワーク６０を介してネットワーク接続端末３０を遠隔制御する。
【００２４】
エレベータ保守管理用端末４０は、ネットワーク接続端末３０から受信した記録装置１１ｃ−１，１１ｃ−２の記録情報を、サーバ５０の所定の場所に記憶させる。またエレベータ保守管理用端末４０は、記録装置１１ｃ−１，１１ｃ−２に記録するための情報を、ネットワーク６０を介してネットワーク接続端末３０に送信する。
【００２５】
またエレベータ保守管理用端末４０は、ネットワーク接続端末３０から受信した記録装置１１ｃ−１，１１ｃ−２の記録情報を、モニタ４１に表示させる。
【００２６】
サーバ５０は、エレベータ保守管理用端末４０から供給された、記録装置１１ｃ−１，１１ｃ−２の記録情報のうち基本情報を、電子基板／ユニット種類別基本情報データベース５１に記憶し、固有情報を、エレベータ物件別個別情報データベース５２に記憶する。
【００２７】
電子基板／ユニット種類別基本情報データベース５１には、名称、型式、製造年月（製造ロット）、製造図番、製造レビジョン、試験結果情報が、ユニット１１−１，１１−２毎に記憶される。
【００２８】
エレベータ物件別個別情報データベース５２には、電子基板およびユニットの回路や部品変更に伴うボリューム、スイッチ、ソフトプログラムなどの設定変更情報が、ユニット１１−１，１１−２毎に記憶される。
【００２９】
ネットワーク６０は、公衆回線網、ローカルエリアネットワーク、またはインターネットなどのネットワーク、デジタル衛星放送といった、有線または無線のいずれのものでもよい。
【００３０】
以下において、ユニット１１−１とユニット１１−２を個々に区別する必要が無い場合、単にユニット１１と称し、銘板１１ａ−１と銘板１１ａ−２を個々に区別する必要が無い場合、単に銘板１１ａと称し、銘板１１ｂ−１と銘板１１ｂ−２を個々に区別する必要が無い場合、単に銘板１１ｂと称し、記録装置１１ｃ−１と記録装置１１ｃ−２を個々に区別する必要が無い場合、単に記録装置１１ｃと称する。なお、ユニット１１−１とユニット１１−２の数は任意であり、図１に示されるように２つに限られるものではない。
【００３１】
次に、図２のフローチャートを参照して、ネットワーク接続端末３０が実行する、読み出し／書き込み処理について説明する。
【００３２】
ステップＳ１において、ネットワーク接続端末３０は、操作者により図示せぬ入力部が操作されて、情報の読み出しが指示されたか否かを判定し、情報の読み出しが指示されたと判定した場合、ステップＳ２に進む。
【００３３】
ステップＳ２において、ネットワーク接続端末３０は、ハンディターミナル２０を制御し、記録装置１１ｃの記録情報を読み出させる。つまり、ハンディターミナル２０は、ネットワーク接続端末３０の制御の下、記録装置１１ｃに記録されている基本情報および固有情報を非接触で読み出し、ネットワーク接続端末３０に送信する。
【００３４】
ステップＳ１において、ネットワーク接続端末３０は、情報の読み出しが指示されていないと判定した場合、ステップＳ３に進む。ステップＳ３において、ネットワーク接続端末３０は、操作者により図示せぬ入力部が操作されて、情報の書き込みが指示されたか否かを判定し、情報の書き込みが指示されたと判定した場合、ステップＳ４に進む。
【００３５】
ステップＳ４において、ネットワーク接続端末３０は、ハンディターミナル２０を制御し、記録装置１１ｃに情報を書き込ませる。つまり、ハンディターミナル２０は、ネットワーク接続端末３０の制御の下、ネットワーク接続端末３０から受信した情報を記録装置１１ｃに非接触で書き込む。
【００３６】
ステップＳ３の処理において、情報の書き込みが指示されていないと判定された場合、または、ステップＳ２の読み出し処理終了後、ステップＳ４の書き込み処理終了後、ステップＳ１に戻り、上述した処理を繰り返し実行する。
【００３７】
以上のように、メンテナンス保守を行う場合などにおいて、記録装置１１ｃに記録されたユニット１１の基本情報や固有情報を非接触で読み出すことにより、保守員は、エレベータ制御盤１０のユニット１１毎の詳細情報を、迅速かつ正確に把握することが可能となる。
【００３８】
また、電子基板やユニットの製造時における基本情報、および、製造後のエレベータ調整時における現地での調整設定データ、改造・改修、故障・修理などによるユニット１１の構成部品の変更、回路変更や改造、ボリューム、スイッチなどの設定変更、構成部品ICのソフトプログラムの変更が生じた場合、それらの設定変更情報を、ハンディターミナル２０を介して非接触で記録装置１１ｃに書き込むことにより、正確かつ詳細に、エレベータ制御盤１０のユニット１１毎の情報を記録することが可能である。
【００３９】
次に、図３のフローチャートを参照して、エレベータ保守管理用端末４０が実行する、表示処理、記憶処理について説明する。
【００４０】
ステップＳ１１において、エレベータ保守管理用端末４０は、操作者により図示せぬ入力部が操作されて、情報の表示が指示されたか否かを判定し、情報の表示が指示されたと判定した場合、ステップＳ１２に進む。
【００４１】
ステップＳ１２において、エレベータ保守管理用端末４０は、ネットワーク６０を介して、ネットワーク接続端末３０から記録装置１１ｃの記録情報を受信し、受信した記録情報をモニタ４１に表示させる。
【００４２】
ステップＳ１１において、エレベータ保守管理用端末４０は、情報の表示が指示されていないと判定した場合、ステップＳ１３に進む。ステップＳ１３において、エレベータ保守管理用端末４０は、操作者により図示せぬ入力部が操作されて、情報の記憶が指示されたか否かを判定し、情報の記憶が指示されたと判定した場合、ステップＳ１４に進む。
【００４３】
ステップＳ１４において、エレベータ保守管理用端末４０は、ネットワーク６０を介して、ネットワーク接続端末３０から記録装置１１ｃの記録情報を受信し、受信した記録情報をサーバ５０に記憶させる。これにより、記録情報のうち基本情報が、電子基板／ユニット種類別基本情報データベース５１に記憶され、固有情報が、エレベータ物件別個別情報データベース５２に記憶される。
【００４４】
ステップＳ１３の処理において、情報の記憶が指示されていないと判定された場合、または、ステップＳ１２の表示処理終了後、ステップＳ１４の記憶処理終了後、ステップＳ１１に戻り、上述した処理を繰り返し実行する。
【００４５】
以上のように、メンテナンス保守を行う場合などにおいて、記録装置１１ｃに記録されたユニット１１の基本情報や固有情報を、エレベータ保守管理用端末４０のモニタ４１に表示させることにより、保守員は、遠隔地からでも、エレベータ制御盤１０のユニット１１毎の詳細情報を、迅速かつ正確に把握することが可能となる。
【００４６】
また、記録装置１１ｃに記録されたユニット１１の基本情報や固有情報を、電子基板／ユニット種類別基本情報データベース５１とエレベータ物件別個別情報データベース５２にそれぞれ記憶させることにより、保守員は、稼働している全エレベータのユニット１１毎の詳細情報を容易に管理することが可能となる。
【００４７】
このように、本発明の第１の実施の形態によれば、エレベータ制御盤１０を構成する複数のユニット１１の情報を、詳細かつ正確に、遠隔から入手することが可能となる。また長期に渡り稼働するエレベータにおいては、製造時点より、調整変更、改造・改修に伴う変更、性能劣化に伴う寿命対策、品質向上にともなう改造変更などが行われ、同種の電子基板やユニットが組み込まれていたとしても、エレベータ物件毎に設定変更情報が異なり、保守管理が煩雑および複雑になるが、ユニット１１毎の詳細情報をデータベースに記憶させることで容易に保守管理することが可能となる。
【００４８】
これにより、電子基板やユニットを再製作する際、製作情報やそれを試験する場合の試験条件、良否判定基準の明確化、また再製作された電子基板やユニットを現地で交換する場合の調整データとして有効に役立てることが可能となる。
【００４９】
（第２の実施の形態）
本発明の第２の実施の形態を図４を参照して説明する。なお、第２の実施の形態において、第１の実施の形態において説明した構成要素と同じ構成要素には同じ符号を付してあり、重複する説明は省略する。
【００５０】
本発明の第２の実施の形態に係るエレベータ制御盤の管理システム１の基本的構成は第１の実施の形態と同じである。第２の実施の形態のエレベータ制御盤の管理システム１００では、ハンディターミナル２０とネットワーク接続端末３０がなくなり、その代わりに、エレベータ制御盤１０内に、読み出し／書き込み端末７０が新たに設けられている。
【００５１】
読み出し／書き込み端末７０は、ネットワーク６０を介して、エレベータ保守管理用端末４０、およびサーバ５０に接続することが可能であるとともに、ハンディターミナル２０の機能も兼ね備える。すなわち、読み出し／書き込み端末７０は、エレベータ保守管理用端末４０からネットワーク６０を介して受信した基本情報および固有情報を、記録装置１１ｃ−１，１１ｃ−２に非接触で書き込むとともに、記録装置１１ｃ−１，１１ｃ−２に記録された基本情報および固有情報を非接触で読み出し、ネットワーク６０を介してエレベータ保守管理用端末４０に送信する。
【００５２】
このように、第２の実施の形態においても、第１の実施の形態と同等の効果を得ることができ、エレベータ制御盤１０を構成する複数のユニット１１の情報を、詳細かつ正確に、遠隔から入手することが可能となる。また、ユニット１１毎の詳細情報を容易にデータベースで保守管理することが可能となる。
【００５３】
なおこの発明は、上記実施の形態そのままに限定されるものではなく、実施段階ではその要旨を逸脱しない範囲で構成要素を変形して具体化したり、上記実施の形態に開示されている複数の構成要素を適宜組み合わせたりすることにより種々の発明を形成できる。例えば、実施の形態に示される全構成要素から幾つかの構成要素を削除してもよい。さらに、異なる実施の形態に亘る構成要素を適宜組み合わせても良い。
【図面の簡単な説明】
【００５４】
【図１】第１の実施の形態に係るエレベータ制御盤の管理システムの構成例を示す図である。
【図２】第１の実施の形態に係る読み出し／書き込み処理を説明するフローチャートである。
【図３】第１の実施の形態に係る表示処理、記憶処理を説明するフローチャートである。
【図４】第２の実施の形態に係るエレベータ制御盤の管理システムの構成例を示す図である。
【符号の説明】
【００５５】
１  エレベータ制御盤の管理システム
１０  エレベータ制御盤
１１−１，１１−２  ユニット
１１ｃ−１，１１ｃ−２  記録装置
２０  ハンディターミナル
３０  ネットワーク接続端末
４０  エレベータ保守管理用端末
５０  サーバ
５１  電子基板／ユニット種類別基本情報データベース
５２  エレベータ物件別個別情報データベース
６０  ネットワーク
７０  読み出し／書き込み端末
【図１】
2010058887.tif 000003
【図２】
2010058887.tif 000004
【図３】
2010058887.tif 000005
【図４】
2010058887.tif 000006